(57)【要約】【課題】  装着者を発見されやすくするための手段を備えるとともに、外部温度や体温に応じて装着者の体温を微調整し、救助されるまでの間、身体の体温を適正体温に維持できる体温調整具を備えた救命具を提供する。【解決手段】  救命具本体を身体に装着した際に、総頚動脈が通る首の両側の位置および腋窩動脈が通る両脇の位置にそれぞれ当接するように配される熱部材と、該熱部材に電気を供給するための電源と、体温を検出するための体温検出手段と、外部温度を検出するための外部温度検出手段と、体温検出手段および外部温度検出手段で検出された温度を受けて、熱部材の温度を調整するための温度コントローラとを備え、緊急事態の際に身体の体温を適正温度に維持するようにした。【選択図】図1
2005199920.tif 000002
【特許請求の範囲】
【請求項１】
救命具本体を身体に装着した際に、総頚動脈が通る首の両側の位置および腋窩動脈が通る両脇の位置にそれぞれ当接するように配される熱部材と、
該熱部材に電気を供給するための電源と、
体温を検出するための体温検出手段と、
外部温度を検出するための外部温度検出手段と、
前記体温検出手段および前記外部温度検出手段で検出された温度を受けて、前記熱部材の温度を調整するための温度コントローラとを備え、
緊急事態の際に身体の体温を適正温度に維持するようにしたことを特徴とする体温調整具を備えた救命具。
【請求項２】
前記熱部材は、前記救命具本体を身体に装着した際に、心臓付近を通るように配される請求項１に記載の体温調整具を備えた救命具。
【請求項３】
前記熱部材は、前記救命具本体を身体に装着した際に、大動脈が通る背中中央部分の位置に当接するように配される請求項１又は２に記載の体温調整具を備えた救命具。
【請求項４】
前記熱部材は、前記救命具本体を身体に装着した際に、外腸骨動脈が通る両足の付け根の位置に当接するように配される請求項１乃至３の何れかに記載の体温調整具を備えた救命具。
【請求項５】
前記救命具本体は、浮力機能と防水機能とを有する海難用ジャケット式救命胴衣である請求項１乃至３の何れかに記載の体温調整具を備えた救命具。
【請求項６】
前記救命具本体は、浮力機能と防水機能とを有する海難用首掛け式救命胴衣である請求項１乃至３の何れかに記載の体温調整具を備えた救命具。
【請求項７】
前記救命具本体は、浮力機能と防水機能とを有する海難用チューブ式救命具である請求項１乃至４の何れかに記載の体温調整具を備えた救命具。
【請求項８】
前記救命具本体は、浮力機能と防水機能とを有する海難用上下一体式救命胴衣である請求項１乃至４の何れかに記載の体温調整具。
【請求項９】
前記救命具本体は、防弾機能を有する防弾服である請求項１乃至４の何れかに記載の体温調整具を備えた救命具。
【請求項１０】
前記救命具本体は、防火機能を有する防火服である請求項１乃至４の何れかに記載の体温調整具を備えた救命具。
【請求項１１】
前記救命具本体は、防寒機能を有する防寒服である請求項１乃至４の何れかに記載の体温調整具を備えた救命具。
【請求項１２】
前記温度コントローラは、標準体温を格納したＲＯＭと、前記標準体温と前記体温検出手段が検出した体温とを比較して、前記熱部材の温度を調整するＣＰＵとからなる請求項１乃至１１の何れかに記載の体温調整具を備えた救命具。
【請求項１３】
前記温度コントローラは、前記標準体温を任意に設定するための体温設定ボタンと、前記標準体温を表示するための表示手段とを備えた請求項１２記載の体温調整具を備えた救命具。
【請求項１４】
前記熱部材は、前記温度コントローラによって前記電源から供給される電流を制御される１又は複数のペルチェ素子と、該ペルチェ素子の熱を身体に伝える熱伝導体とからなる請求項１乃至１３の何れかに記載の体温調整具を備えた救命具。
【請求項１５】
前記救命具本体は、ＧＰＳ衛星からの現在位置情報を受信するための受信手段と、該受信手段が受信した前記現在位置情報を救助システム装置に送信するための送信手段とを有する送受信機を備えた請求項１乃至１４の何れかに記載の体温調整具を備えた救命具。
【請求項１６】
前記送受信機は、他の送受信機と通信するための通信機能を備え、前記送受信機と前記他の送受信機とは、親機と子機との関係である請求項１５に記載の体温調整具を備えた救命具。
【請求項１７】
前記電源は、太陽電池と、前記太陽電池で発電した電気を蓄える蓄電池とを有する請求項１乃至１６の何れかに記載の体温調整具を備えた救命具。
【請求項１８】
前記電源は、補助電池を有する請求項１乃至１７の何れかに記載の体温調整具を備えた救命具。
【請求項１９】
前記救命具本体は、表面の一部又は全部が蛍光色である請求項１乃至１８の何れかに記載の体温調整具を備えた救命具。
【請求項２０】
前記救命具本体は、表面に発光装置を備え、該発光装置は前記電源から供給される電力を用いて、ライトを点灯或いは点滅するようにした請求項１乃至１９の何れかに記載の体温調整具を備えた救命具。
【発明の詳細な説明】
【技術分野】
【０００１】
本発明は、救命具に関し、詳しくは、装着者の体温を調整可能な体温調整具を備えた救命具における救命機能の向上に関する。
【背景技術】
【０００２】
従来からよく知られている救命具（救命胴衣）は、主に遭難事故で使用されることを想定し、救命具を浮きやすくすることを目的として構成されている。さらに、これらの救命具は、緊急事態の際に容易に装着でき、且つ瞬時に浮力が得られるように構成されている。
【０００３】
このような救命具として、例えば特許文献１には、チョッキ型の膨脹式救命具が開示されている。また、特許文献２には、首に引っ掛けて装着する首掛け膨脹式救命具が開示されている。しかしながら、これらの救命具は、いずれも入水した際に、自動、或いは手動で膨張して、浮力を得られるようになっているが、低温水海域で遭難した場合に、体温が低下しないように加温するような手段を有していなかった。そのため、低温水海域で遭難した場合には、これらの救命具を着用していても、救難船や救難機などの救助部隊が到着する前に絶命してしまう危険性があった。
【０００４】
通常、海水に浸かっている遭難者の生存時間に最も影響を与えるのは、体温低下である。人間の体温は、体内の温度を常に３７℃に保つよう自動的に調整しており、体内の温度が３５℃以下になると、低体温の症状に陥り、激しい震えとともに苦痛感が強くなり、感覚は麻痺して意識が混乱してくる。さらに、３１℃以下になると震えが止まるかわりに筋肉が硬直し、心臓の脈動も弱く不規則になる。この段階になると意識を失うこともあり、３０℃以下になると殆ど生死の見分けはつかなくなるとされている。
【０００５】
このような上記の事情に対応した救命具として、救助部隊が迅速に遭難現場に到着できるように、ＧＰＳ受信機を用いて遭難した位置を検出し、無線送信機によって位置情報を送信する救助信号発生装置を備えた救命胴衣が、特許文献３に開示されている。
【０００６】
また、航空機搭乗員が非常時に低海水温域に着水した際に、救難船や救難機に救助されるまで存命を図るための積極的加温効果を有するものが、例えば特許文献４に開示されている。
【０００７】
図１０は、特許文献４に開示される耐寒耐水服の前面を示す説明図である。同図において、耐寒耐水服１０１は、大気中における酸化反応で発熱する平板型の化学的発熱剤１０２と、内部に化学的発熱剤１０２を出し入れ可能に保持するポケット１０３が設けられて、開閉口を備えた気密質の材料からなる発熱体収納袋１０４と、該発熱体収納袋１０４に取り付けられ、小型の純酸素ボンベ１０５から減圧レギュレータを通した酸素を発熱体収納袋１０４内に送り込み可能な給気弁１０６と、発熱体収納袋１０４に取り付けられ、該発熱体収納袋１０４内の空気を排気可能な排気弁１０７とを備え、給気弁１０６の操作により酸素が送り込まれて化学的発熱剤１０２の発熱作用が生じるようになり、給気弁１０６による断続的な酸素の送り込み、及び必要に応じて給気弁１０６と排気弁１０７との操作により排気を行い、体温維持が行えるようになっている。
【０００８】
【特許文献１】特開２００２−３６２４８２号公報
【特許文献２】特開２００２−１２７９８６号公報
【特許文献３】特開２０００−９０３７７号公報
【特許文献４】特許第２６９６７４４号公報
【発明の開示】
【発明が解決しようとする課題】
【０００９】
ところが、上記特許文献３の救命具本体では、救助が到着するまでの時間は不明であるため、低水温海域での遭難事故の場合には、救助が到着する前に、体温低下によって絶命してしまう危険性があった。
【００１０】
また、上記特許文献４の耐寒耐水服１０１では、化学的発熱剤１０２による加温箇所は、主に胸、腹、腰であるため、効果的な体温調整ができなかった。医学上、身体の熱は、生態組織の熱伝導と循環血流によって運び出されるようになっている。生態組織の熱伝導率は、血流のない筋肉で０．００１ｃａｌ／（ｓ・ｃｍ２・℃）、脂肪で０．０００５ｃａｌ／（ｓ・ｃｍ２・℃）である。これに対し、毛細管（直径約１０μｍ）よりも太い血管（１００μｍ）の流量１ｍｌ／ｓの血液によって熱量が輸送される場合の熱伝導率は、約０．２４ｃａｌ／（ｓ・ｃｍ２・℃）である。よって、体温を調整するには、太い動脈が身体の表面付近を通っている箇所を加温、冷却することが、効果的である。このような箇所は、総頚動脈が通る首の両側、腋窩動脈が通る両脇、大動脈が通る背中中央部分、外腸骨動脈が通る両足の付け根部分である。よって、これらの箇所を加温していない耐寒耐水服１０１では、効果的な体温調整ができなかった。
【００１１】
また、耐寒耐水服１０１は、長時間の使用に対応するには、化学的発熱剤１０２に供給するための酸素を内包した純酸素ボンベ１０５の容量を大きくする必要があるため、軽量化および小型化を図るのが困難であった。
【００１２】
また、化学的発熱剤１０２は、酸化反応が止まると発熱作用も止まるため、使用時間に限りがあり、且つ温度の微調整が困難であったため、生命を維持する装置としては不安があった。さらに、この化学的発熱剤１０２は、酸素と反応することによって発熱するため、使用時以外は、空気中の酸素と触れないようにする必要があった。そのため、この化学的発熱材１０２は、管理が困難であり、また、不必要なときに発熱してしまう危険性があった。
【００１３】
また、耐寒耐水服１０１は、加温効果はあるが、冷却効果はなかった。仮に、遭難事故の現場が、赤道直下の海であった場合には、体感温度が４０℃以上になることがある。このような状況では、体温が適正体温より高くなり、熱中症などを引き起こす危険がある。そのため、航空機や海洋業に関わる人たちからは、加温効果だけでなく、冷却効果も備えている救命具が望まれていた。
【００１４】
さらに、耐寒耐水服１０１は、装着者の位置を知らせる手段を有していないため、救助者は、遭難者を発見するのが困難であった。実際には、遭難者は、救命具を装着していたとしても、自力で難を逃れることは困難であり、救援活動を行っている救助者に救助されなければ、装着者の人命を守ることができない。よって、耐寒耐水服１０１は、救助者が迅速に遭難現場に到着でき、且つ遭難者を早急に発見できるようには構成されていないため、遭難者は、体力が低下し、救助される前に絶命してしまう危険があった。
【００１５】
また、上記海難用救命具に限らず、適正体温と外部温度との差が大きい寒冷地や高温地で着用する衣服、例えば山岳防寒用胴衣、消防用胴衣、或いは砂漠地帯などの戦場で着用する防弾チョッキなどにおいても、外部温度や体温に応じて、装着者の身体を加温、或いは冷却する機能を備えたものが要求されていた。
【００１６】
そこで、本発明の目的は、装着者を発見されやすくするための手段を備えるとともに、外部温度や体温に応じて装着者の体温を微調整し、救助されるまでの間、身体の体温を適正体温に維持できる体温調整具を備えた救命具を提供することにある。
【課題を解決するための手段】
【００１７】
本発明の上記目的は、救命具本体を身体に装着した際に、総頚動脈が通る首の両側の位置および腋窩動脈が通る両脇の位置にそれぞれ当接するように配される熱部材と、該熱部材に電気を供給するための電源と、体温を検出するための体温検出手段と、外部温度を検出するための外部温度検出手段と、前記熱部材に電流を供給するための電源とを備え、前記体温検出手段および前記外部温度検出手段で検出された温度を受けて、前記熱部材の温度を調整するための温度コントローラとを備え、緊急事態の際に身体の体温を適正温度に維持するようにしたことにより、達成される。
【００１８】
また、上記目的は、前記熱部材は、前記救命具本体を身体に装着した際に、心臓付近を通るように配されることにより、効果的に達成される。
【００１９】
また、上記目的は、前記熱部材は、前記救命具本体を身体に装着した際に、大動脈が通る背中中央部分の位置に当接するように配されることにより、効果的に達成される。
【００２０】
また、上記目的は、前記熱部材は、前記救命具本体を身体に装着した際に、外腸骨動脈が通る両足の付け根の位置に当接するように配されることにより、効果的に達成される。
【００２１】
また、上記目的は、前記救命具本体は、浮力機能と防水機能とを有する海難用ジャケット式救命胴衣であることにより、効果的に達成される。
【００２２】
また、上記目的は、前記救命具本体は、浮力機能と防水機能とを有する海難用首掛け式救命胴衣であることにより、効果的に達成される。
【００２３】
また、上記目的は、前記救命具本体は、浮力機能と防水機能とを有する海難用チューブ式救命具であることにより、効果的に達成される。
【００２４】
また、上記目的は、前記救命具本体は、浮力機能と防水機能とを有する海難用上下一体式救命胴衣であることにより、効果的に達成される。
【００２５】
また、上記目的は、前記救命具本体は、防弾機能を有する防弾服であることにより、効果的に達成される。
【００２６】
また、上記目的は、前記救命具本体は、防火機能を有する防火服であることにより、効果的に達成される。
【００２７】
また、上記目的は、前記救命具本体は、防寒機能を有する防寒服であることにより、効果的に達成される。
【００２８】
また、上記目的は、前記温度コントローラは、標準体温を格納したＲＯＭと、前記標準体温と前記体温検出手段が検出した体温とを比較して、前記熱部材の温度を調整するＣＰＵとからなることにより、効果的に達成される。
【００２９】
また、上記目的は、前記温度コントローラは、前記標準体温を任意に設定するための体温設定ボタンと、前記標準体温を表示するための表示手段とを備えたことにより、効果的に達成される。
【００３０】
また、上記目的は、前記熱部材は、前記温度コントローラによって前記電源から供給される電流を制御される１又は複数のペルチェ素子と、該ペルチェ素子の熱を身体に伝える熱伝導体とからなることにより、効果的に達成される。
【００３１】
また、上記目的は、前記救命具本体は、ＧＰＳ衛星からの現在位置情報を受信するための受信手段と、該受信手段が受信した前記現在位置情報を救助システム装置に送信するための送信手段とを有する送受信機を備えたことにより、効果的に達成される。
【００３２】
また、上記目的は、前記送受信機は、他の送受信機と通信するための通信手段を有し、前記送受信機と前記他の送受信機とは、親機と子機との関係であることにより、効果的に達成される。
【００３３】
また、上記目的は、前記電源は、太陽電池と、前記太陽電池で発電した電力を蓄える蓄電池とを有することにより、効果的に達成される。
【００３４】
また、上記目的は、前記電源は、補助電池を有することにより、効果的に達成される。
【００３５】
また、上記目的は、前記救命具本体は、表面の一部又は全部が蛍光色であることにより、効果的に達成される。
【００３６】
さらに、上記目的は、前記救命具本体は、表面に発光装置を備え、該発光装置は前記電源から供給される電力を用いて、ライトを点灯或いは点滅するようにしたことにより、効果的に達成される。
【発明の効果】
【００３７】
本発明に係る体温調整具を備えた救命具によると、救命具本体を身体に装着した際に、総頚動脈が通る首の両側、腋窩動脈が通る両脇、外腸骨動脈が通る両足の付け根部分、大動脈が通る背中中央部分、及び心臓付近に当接するように配される熱部材と、該熱部材に電気を供給するための電源と、体温を検出するための体温検出手段と、外部温度を検出するための外部温度検出手段と、体温検出手段および外部温度検出手段で検出された温度を受けて、熱部材の温度を調整するための温度コントローラとを備えた。これにより、体温調整能力が大きい循環血流（太い血管）が通る箇所を同時に冷却或いは加熱することができる。この結果、本救命具を装着していれば、効果的な体温調整をすることができるので、緊急事態、例えば低水温海域での遭難、寒冷地での遭難、或いは高温地での遭難などの際に、体温を適正体温に維持することができ、体温低下による生存時間の減少を防止することができる。
【００３８】
また、熱部材をペルチェ素子と、該ペルチェ素子の熱を身体に伝える熱伝導体とから構成し、且つ、温度コントローラを、標準体温を格納したＲＯＭと、体温検出手段の検出値と標準体温とを比較して、熱部材の温度を調整するＣＰＵとから構成した。これにより、電流の流れる方向に従って熱が移動し、吸熱部と発熱部とを形成するペルチェ効果の特性を用いて、温度調整体の加熱及び冷却の微調整を行うことができる。この結果、装着者の体温を簡単に微調整することができる。
【００３９】
また、温度コントローラに、標準体温を任意に設定するための設定体温ボタンと、標準体温を表示するための表示手段とを備えた。これにより、装着者は、暑いと感じた時には標準体温を低めに設定し、寒いと感じた時には標準体温を少し高めに設定するなど、任意に標準体温を変更することができる。
【００４０】
また、救命具本体に、ＧＰＳからの現在位置情報を受信するための受信手段と、該受信手段が受信した現在位置情報を送信するための送信手段とを備え、且つ救命具本体の表面を蛍光色にし、電源によってライトを点灯或いは点滅する発光装置を備えた。これにより、装着者の位置を救出者に明確に知らせることができ、救出者が救出現場に到着した際に、遭難者を容易に発見することができる。
【００４１】
また、電源を太陽電池にすることにより、太陽が出ている昼間であれば、事実上半永久的に作動させることができる。また、太陽電池で発電した電気を蓄える蓄電池と、太陽電池及び蓄電池の電力が不足している場合に使用する補助電池とを備えることにより、夜間であっても電力供給することができる。
【００４２】
さらに、本救命具は、首掛け式救命胴衣、上下一体式救命胴衣、チューブ式救命具など、形状の異なる海難用救命具にも適用することができ、また、防弾チョッキ、防火服、防寒服などの適正体温と外部体温との差が大きい場所で着用する衣服にも適用することができる。これにより、体温低下、体温上昇による存命率の低下が問題になっていた、これらの衣服を着用する分野においても、体温を適正体温に維持することができ、存命率の向上を図ることができる。
【００４３】
要するに、遭難したの際に、本発明に係る体温調整具を備えた救命具を装着することにより、たとえ遭難した現場が低水温海域であったとしても、体温を適正体温で維持することができ、且つ救助者に自分の現在位置を報知することができる。この結果、遭難した際に、本救命具を着用していれば、従来の救命具では助かる可能性が低かった遭難事故であっても、遭難者を救命することができる。
【発明を実施するための最良の形態】
【００４４】
以下、図面を参照にしながら、本発明の実施形態を説明する。
【実施例１】
【００４５】
図１乃至５は、本発明の実施例１に係る体温調整具を備えた救命具を示している。この救命具１の本体は、浮力機能と防水機能を有し、保温性に優れてた海難用ジャケット式救命胴衣（救命具本体）２であり、正面中央に設けられたファスナ３によって、閉じ開きをするようになっている。
【００４６】
そして、この救命具１は、救命具本体２を装着した際に、総頸動脈が通る首の両側付近に当接するように、衿４の内側に配された第１熱部材５Ａ，５Ａと、腋窩動脈が通る両脇付近に当接するように救命具本体２の内側に配された第２熱部材５Ｂ，５Ｂと、心臓付近に当接するように救命具本体２の内側に配された第３熱部材５Ｃと、大動脈が通る背中中央部分に当接するように救命具本体２の内側に配された第４熱部材５Ｄとを備えている。
【００４７】
また、各熱部材５は、救命具本体２の外側表面に設けられた温度コントローラ６によって、電源７の供給電流を制御され、温度を調整されるようになっている。この温度コントローラ６は、ＣＰＵ８とＲＯＭ９とから構成されており、装着者の体温を検出するために救命具本体２の内面に配された体温検出手段１０の体温検出値を、予めＲＯＭ９に格納された標準体温と比較して、ＣＰＵ８で計算し、装着者の体温が適正体温に維持されるように、各熱部材５に供給される電源７の供給電流を制御し、各熱部材５の温度を調整するようになっている。また、温度コントローラ６は、外部温度（海水温度）を検出するために救命具本体２の外面に配された外部温度検出手段１１の外部温度検出値に基づき、標準体温を設定するための体温設定ボタン１２を用いて、任意に目標温度を設定することもできるようになっている。なお、符号１３は、設定体温、海水温度（海水温度）、日時などを表示するための表示手段１３である。
【００４８】
また、各熱部材５は、図５に示すように、ｐ型（＋）熱電材料１４Ａとｎ型（−）熱電材料１４Ｂを一対にした素子を複数個並べ、両面に平板状の電極を配した面状の金属１４Ｃ，１４Ｄを有するペルチェ素子１４と、熱伝導性に優れたジェル等からなり、ペルチェ素子１４の熱を身体の加熱冷却部位１５に伝える熱伝導体１６とから構成されている。このペルチェ素子１４の金属１４Ｄ側（加熱冷却部位１５側）は、電流の流れが矢印Ｈ方向の場合には発熱し、逆に、電流の流れが矢印Ｃ方向の場合には冷却するようになっている。そして、ペルチェ素子１４の熱は、熱伝導体１６を介して、加熱冷却部位１５である首の両側付近、両脇付近、心臓部近、及び背中中央部分に伝わるようになっている。
【００４９】
また、各熱部材５に電気を供給するための電源７は、太陽電池１７と、該太陽電池１７で発電した電力を蓄える蓄電池１７Ａと、太陽電池１７及び蓄電池１７Ａの電力が不足している場合に使用する補助電池１８とから構成されている。これにより、救命具本体２の表面に取り付けられた太陽電池１７で発電した電力を蓄電池１７Ａに蓄えることを可能とし、この蓄電池１７及び補助電池１８によって、夜間でも電力供給することができる。
【００５０】
以上のように、救命具１の温度調整体１９は、温度コントローラ６が体温検出手段１０の検出値に基づき、各熱部材５への供給電流を制御することによって、各熱部材５の温度を調整し、装着者の体温を標準体温に維持するようになっている。
【００５１】
さらに、救命具１は、遭難した際に、装着者の位置を救助者に明確に報知するための送受信機２０と、遭難現場付近にいる救助者に装着者を発見されやすくするために、海面より上の位置になるように配された発光装置２１とを備えている。
【００５２】
送受信機２０は、ＧＰＳ衛星２２からの現在位置情報を受信する現在位置受信手段２３と、この受信した現在位置情報を救助システム装置２４に送信するための送信手段２５とを有する。救助システム装置２４は、受信した装着者の現在位置情報に基づき、最も近くにいる救助艇や救助機を自動的に選択し、遭難場所への方角、距離情報を与え、救助指令を出すようになっている。この救助指令を受けた救助者は、方角、距離情報に基づいて航行し、遭難者のもとに迅速に到達できるようになっている。
【００５３】
なお、この送受信機２０に、他の送受信機と通信するための通信手段を備え、この送受信機を親機とし、他の送受信機を子機としてもよい。この場合、他の送受信機（子機）には、送受信機（親機）と通信するための通信手段だけを備え、自機の現在位置を親機に通知すればよいので、親機より低コストで製造可能である。これにより、例えば、船が海難した場合には、この船の船長が装着する救命具に親機を備え、船長以外の船員が装着する救命具には子機を備えるようにすれば、コストの軽減を図ることができる。
【００５４】
また、発光装置２１は、電源７からの供給電力によって点灯、或いは点滅するライト２６を有し、遭難現場付近の救助者に、自分の位置を明確に報知するようになっている。
【００５５】
また、救命具本体２は、表地の色が蛍光色であり、且つ前後表面の上部に反射シール２７を設けており、夜間の遭難であっても、自分の位置を救助者に明確に報知できるようになっている。
【００５６】
次に、救命具１の作用について説明する。
【００５７】
救命具本体２を着用して遭難した装着者は、温度コントローラ６の表面に設けられたスイッチ６ＡをＯＮにして、体温調整具１７を作動させる。温度コントローラ６は、体温検出手段１０の体温検出値を、予めＲＯＭ９に格納された標準体温と比較して、ＣＰＵ８で計算し、装着者の体温が適正体温に維持されるように、各熱部材５の温度を微調整する。この際、装着者は、外部温度検出手段１１の外部温度検出値に基づき、設定ボタン１２で任意に設定温度を調整することもできる。そして、温度コントローラ６は、電源７の各熱部材５への供給電流を制御することによって、各熱部材５の温度を微調整し、装着者の首の両側、両脇、背中中央部分、心臓付近を加熱或いは冷却する。これにより、救命具１は、装着者の体温を効果的に微調整することができ、装着者の体温を適正体温に維持するようになっている。
【００５８】
また、装着者は、送受信機２０の表面に設けられたスイッチ２０ＡをＯＮにして、電源８から供給される電力を用いて、送受信機２０を作動させる。この送受信機２０は、受信手段２３によって、ＧＰＳ衛星２２からの現在位置情報を受信し、この受信した現在位置情報を送信手段２５によって救助システム装置２４に送信する。この救助システム装置２４は、装着者の現在位置情報に基づき、最も近くにいる救助艇や救助機を自動的に選択し、遭難場所への方角、距離情報を与え、救助指令を出し、この救助指令を受けた救助者が装着者の救助に向かうようになっている。
【００５９】
また、さらに、装着者は、発光装置２１の表面に設けられたスイッチ２１ＡをＯＮにして、電源８の供給電力を用いて、発光装置２１を作動させる。作動した発光装置２１は、ライト２６を点灯或いは点滅させて、現場付近にいる救助者に自分の位置を報知するようになっている。
【００６０】
以上のように、本実施例では、救命具１は、救命具本体２を身体に装着した際に、総頚動脈が通る首の両側に当接する位置に配される第１熱部材５Ａ，５Ａと、腋窩動脈が通る両脇に当接する位置に配される第２熱部材５Ｂ，５Ｂと、心臓付近に当接する位置に配される第３熱部材５Ｃと、大動脈が通る背中中央部分に当接する位置に配される第４熱部材５Ｄ，５Ｄと、各熱部材５に電気を供給するための電源７と、体温を検出するための体温検出手段１０と、外部温度を検出するための外部温度検出手段１１と、体温検出手段１０および外部温度検出手段１１で検出された温度を受けて、各熱部材５の温度を調整するための温度コントローラ６を備え、緊急事態の際に身体の体温を適正温度に維持されるようにした。これにより、体温調整能力が大きい循環血流が通っている身体の部位を、加熱或いは冷却することができる。この結果、低海水温域や高海水温域における遭難事故であっても、本救命具１を装着していれば、体温を効果的に微調整することができるので、装着者の体温を適正体温に維持することができる。
【００６１】
また、救命具１は、ＧＰＳ衛星２２からの現在位置情報を受信する現在位置受信手段２３と、この受信した現在位置情報を救助システム装置２４に送信するための送信手段２５とを有する送受信機２０を備えることによって、救助者に現在位置を迅速に、且つ正確に知らせることができる。
【００６２】
さらに、電源７の供給電力を用いて、ライト２６を点灯、或いは点滅させる発光装置２１を備え、且つ救命具本体２の表面を蛍光色にし、救命具本体２の前後表面の上部に反射シール２７を配した。これにより、遭難現場付近の救助者に、自分の現在位置を明確に報知することができる。
【００６３】
要するに、本実施例の救命具１によると、送受信機２０、発光装置２１及び反射シール２７によって救助者に遭難位置を迅速に、且つ明確に知らせるとともに、装着者の体温を微調整する体温調整具１９によって、救助されるまで間、体温を適正体温に維持できるようにした。これにより、海難事故における遭難者の存命率を、従来の救命具より向上させることができる。
【００６４】
なお、上述した実施例では、救命具本体２は、浮力機能を有する海難用ジャケット式救命胴衣２であったが、本発明に係る救命具１は、外部温度が標準体温より過度に高い、或いは過度に低い場所で着用する服、例えば昼夜の気温差が大きい砂漠地帯などで着用する防弾機能を備えた防弾チョッキ、火災現場などで着用する防火機能を備えた防火服、冬山や寒冷地などで着用する防寒機能を備えた防寒服などにも適応することができる。
【実施例２】
【００６５】
図６及び図７は、本発明の実施例２に係る体温調整具を備えた救命具を示すものであるである。なお、前記実施例１と同一の部材には同一の符号を付して、その説明を省略する。
【００６６】
本実施例では、救命具１ａの本体は、浮力機能と防水機能を有し、保温性に優れている海難用首掛け式救命胴衣（救命具本体）２ａである。この救命具本体２ａは、首から被り、前面２ａＦ及び後面２ａＢの左右両端部を、それぞれ表裏１面側になるように配された面ファスナー２８Ｆ，２８Ｂによって、両脇下で接合し、装着するようになっている。
【００６７】
この場合も、前記実施例１と同様の作用効果を得られることはもとより、救命具本体２ａは、装着が容易であり、且つ嵩張らずに収納できるため、収納スペースなどに限りがある航空機の乗客、搭乗員のための救命具として有用である。
【実施例３】
【００６８】
図８は、本発明の実施例３に係る体温調整具を備えた救命具を示すものである。なお、前記実施例１と同一の部材には同一の符号を付して、その説明を省略する。
【００６９】
本実施例では、救命具１ｂの本体は、浮力機能と防水機能を有し、保温性に優れている海難用上下一体式救命胴衣（救命具本体）２ｂであり、正面中央の衿４から腹部に延設されたファスナ３によって、閉じ開きをするようになっている。
【００７０】
そして、この救命具１ｂは、救命具本体２ｂを装着した際に、総頸動脈が通る首の両側付近に当接するように、衿４の内側に配された第１熱部材５Ａ，５Ａ、腋窩動脈が通る両脇付近に当接するように救命具本体２ｂの内側に配された第２熱部材５Ｂ，５Ｂ、心臓付近に当接するように救命具本体２ｂの内側に配された第３熱部材５Ｃ、大動脈が通る背中中央部分に当接するように救命具本体２ｂの内側に配された第４熱部材５Ｄに加え、外腸骨動脈が通る両足の付け根の位置に当接するようにの内側に配された第５熱部材５Ｅ，５Ｅを備えている。
【００７１】
この第５熱部材５Ｅは、第１熱部材５Ａ、第２熱部材５Ｂ、第３熱部材５Ｃ、第４熱部材５Ｄと同様に、救命具本体２ｂの外側表面に設けられた温度コントローラ６によって、電源７の供給電流を制御され、温度を調整されるようになっている。
【００７２】
この場合も、前記実施例１と同様の作用効果を得られることはもとより、救命具本体２ｂを装着した際に、両足の付け根に当接する位置に配される第５熱部材５Ｅ，５Ｅを備えることによって、下肢部の体温調整能力が大きい外腸骨動脈が通っている部位を、加熱或いは冷却することができる。これにより、装着者の体温をより効果的に微調整することができる。
【００７３】
また、救命具１ｂの本体は、上半身から下半身までを覆う海難用上下一体式救命胴衣２ｂであることにより、実施例１の救命具本体２よりも高い浮力機能、保温性を有し、海難した装着者の存命率の向上を図ることができる。
【実施例４】
【００７４】
図９は、本発明の実施例４に係る体温調整具を備えた体温調整具を示すものである。なお、前記実施例１と同一の部材には同一の符号を付して、その説明を省略する。
【００７５】
本実施例では、この救命具１ｃの本体は、浮力機能と防水機能とを有する海難用チューブ式救命具（救命具本体）２ｃである。この救命具本体２ｃは、防水性、耐久性に優れた１本のゴム製のチューブなどで形成されたものである。
【００７６】
そして、この救命具１ｃは、救命具本体２ｂを装着した際に、総頸動脈が通る首の両側付近に当接するように、救命具本体２ｃの内側に配された第１熱部材５Ａ，５Ａと、腋窩動脈が通る両脇付近に当接するように救命具本体２ｃの内側に配された第２熱部材５Ｂ，５Ｂと、大動脈が通る背中中央部分に当接するように救命具本体２ｃの内側に配された第４熱部材５Ｄ，５Ｄと、外腸骨動脈が通る両足の付け根の位置に当接するように救命具本体２ｃの内側に配された第５熱部材５Ｅ，５Ｅとを備えている。
【００７７】
以下に、救命具１ｃの装着方法を説明する。
【００７８】
まず、救命具本体２ｃの中心部を首裏側中心部に当接させ、その状態から救命具本体２ｃの両端部を首の両側を通して身体の正面にまわす。ここで、第１熱部材５Ａ，５Ａが首の両側を通る総頚動脈に当接する位置になるように調整する。
【００７９】
次に、この状態から、両端部を夫々左右の両脇を通して背中にまわし、第２熱部材５Ｂ，５Ｂが両脇に当接する位置になるように調整する。そして、第４熱部材５Ｄ，５Ｄが背中中央部分に当接する位置になるように調整し、救命具本体２の両端部を、股を通して正面にまわす。ここで、第５熱部材５Ｅ，５Ｅが両足の付け根に当接する位置になるように調整し、固定する。
【００８０】
以上のように、本実施例では、救命具１ｃの本体として、浮力機能と防水機能とを有する海難用チューブ式救命具２ｃを用いたが、前記実施例１と同様の作用効果を得られる。
【００８１】
また、救命具１ｃは、防水性、耐久性に優れた１本のゴム製のチューブなどで形成されたものであるので、内部の空気を抜いて折り畳めば、嵩張ることなく収納することができる。この結果、収納スペースなどに限りがある航空機の乗客、搭乗員のための救命具として有用であることはもとより、海洋レジャーなどに出かける際に、容易に携帯することができる。
【００８２】
以上、本発明を具体的に説明してきたが、本発明はそれに限定されるものではなく、その趣旨を逸脱しない範囲で種々変更可能である。
【図面の簡単な説明】
【００８３】
【図１】本発明の実施例１に係る体温調整具を備えた救命具を示す正面図である。
【図２】上記救命具を示す背面図である。
【図３】上記救命具の構成を示すブロック図である。
【図４】上記救命具の温度コントローラを示す正面図である。
【図５】上記救命具の熱部材を示す要部断面図である。
【図６】本発明の実施例２に係る体温調整具を備えた救命具の説明図である。
【図７】上記救命具を展開した状態を示す上面図である。
【図８】本発明の実施例３に係る体温調整具を備えた救命具を装着した状態を示す正面図である。
【図９】本発明の実施例４に係る体温調整具を備えた救命具を装着した状態を示す正面図である。
【図１０】従来の救命具を示す背面図である。
【符号の説明】
【００８４】
１，１ａ，１ｂ，１ｃ    救命具
２，２ａ，２ｂ，２ｃ    救命具本体
５                      熱部材
５Ａ                    第１熱部材
５Ｂ                    第２熱部材
５Ｃ                    第３熱部材
５Ｄ                    第４熱部材
５Ｅ                    第５熱部材
６                      温度コントローラ
７                      電源
８                      ＣＰＵ
９                      ＲＯＭ
１０                    体温検出手段
１１                    外部温度検出手段
１２                    体温設定ボタン
１３                    表示手段
１４                    ペルチェ素子
１６                    熱伝導体
１７                    太陽電池
１７Ａ                  蓄電池
１８                    補助電池
１９                    体温調整具
２０                    送受信機
２１                    発光装置
２２                    受信手段
２３                    ＧＰＳ衛星
２４                    救助システム装置
２５                    送信手段
２６                    ライト
【図１】
2005199920.tif 000003
【図２】
2005199920.tif 000004
【図３】
2005199920.tif 000005
【図４】
2005199920.tif 000006
【図５】
2005199920.tif 000007
【図６】
2005199920.tif 000008
【図７】
2005199920.tif 000009
【図８】
2005199920.tif 000010
【図９】
2005199920.tif 000011
【図１０】
2005199920.tif 000012
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
救命具本体を身体に装着した際に、総頚動脈が通る首の両側の位置および腋窩動脈が通る両脇の位置にそれぞれ当接するように配される熱部材と、
該熱部材に電気を供給するための電源と、
体温を検出するための体温検出手段と、
外部温度を検出するための外部温度検出手段と、
前記体温検出手段および前記外部温度検出手段で検出された温度を受けて、前記熱部材の温度を調整するための温度コントローラとを備え、
体温を上げる場合には、前記熱部材によって、体温調整能力が大きい循環血流が通る箇所を同時に加熱するとともに、体温を下げる場合には、前記熱部材によって、体温調整能力が大きい循環血流が通る箇所を同時に冷却するようにしたことを特徴とする体温調整具を備えた救命具。
【請求項２】
前記熱部材は、前記救命具本体を身体に装着した際に、前胸部の心臓付近に当接するように配される請求項１に記載の体温調整具を備えた救命具。
【請求項３】
前記熱部材は、前記救命具本体を身体に装着した際に、大動脈が通る背中中央部分の位置に当接するように配される請求項１又は２に記載の体温調整具を備えた救命具。
【請求項４】
前記熱部材は、前記救命具本体を身体に装着した際に、外腸骨動脈が通る両足の付け根の位置に当接するように配される請求項１乃至３の何れかに記載の体温調整具を備えた救命具。
【請求項５】
前記救命具本体は、浮力機能と防水機能とを有する海難用ジャケット式救命胴衣である請求項１乃至３の何れかに記載の体温調整具を備えた救命具。
【請求項６】
前記救命具本体は、浮力機能と防水機能とを有する海難用首掛け式救命胴衣である請求項１乃至３の何れかに記載の体温調整具を備えた救命具。
【請求項７】
前記救命具本体は、浮力機能と防水機能とを有する海難用チューブ式救命具である請求項１乃至４の何れかに記載の体温調整具を備えた救命具。
【請求項８】
前記救命具本体は、浮力機能と防水機能とを有する海難用上下一体式救命胴衣である請求項１乃至４の何れかに記載の体温調整具を備えた救命具。
【請求項９】
前記救命具本体は、防弾機能を有する防弾服である請求項１乃至４の何れかに記載の体温調整具を備えた救命具。
【請求項１０】
前記救命具本体は、防火機能を有する防火服である請求項１乃至４の何れかに記載の体温調整具を備えた救命具。
【請求項１１】
前記救命具本体は、防寒機能を有する防寒服である請求項１乃至４の何れかに記載の体温調整具を備えた救命具。
【請求項１２】
前記温度コントローラは、標準体温を格納したＲＯＭと、前記標準体温と前記体温検出手段が検出した体温とを比較して、前記熱部材の温度を調整するＣＰＵとからなる請求項１乃至１１の何れかに記載の体温調整具を備えた救命具。
【請求項１３】
前記温度コントローラは、前記標準体温を任意に設定するための体温設定ボタンと、前記標準体温を表示するための表示手段とを備えた請求項１２記載の体温調整具を備えた救命具。
【請求項１４】
前記熱部材は、前記温度コントローラによって前記電源から供給される電流を制御される１又は複数のペルチェ素子と、該ペルチェ素子の熱を身体に伝える熱伝導体とからなる請求項１乃至１３の何れかに記載の体温調整具を備えた救命具。
【請求項１５】
前記救命具本体は、ＧＰＳ衛星からの現在位置情報を受信するための受信手段と、該受信手段が受信した前記現在位置情報を救助システム装置に送信するための送信手段とを有する送受信機を備えた請求項１乃至１４の何れかに記載の体温調整具を備えた救命具。
【請求項１６】
前記送受信機は、他の送受信機と通信するための通信機能を備え、前記送受信機と前記他の送受信機とは、親機と子機との関係である請求項１５に記載の体温調整具を備えた救命具。
【請求項１７】
前記電源は、太陽電池と、前記太陽電池で発電した電気を蓄える蓄電池とを有する請求項１乃至１６の何れかに記載の体温調整具を備えた救命具。
【請求項１８】
前記電源は、補助電池を有する請求項１乃至１７の何れかに記載の体温調整具を備えた救命具。
【請求項１９】
前記救命具本体は、表面の一部又は全部が蛍光色である請求項１乃至１８の何れかに記載の体温調整具を備えた救命具。
【請求項２０】
前記救命具本体は、表面に発光装置を備え、該発光装置は前記電源から供給される電力を用いて、ライトを点灯或いは点滅するようにした請求項１乃至１９の何れかに記載の体温調整具を備えた救命具。
【手続補正２】
【補正対象書類名】明細書
【補正対象項目名】０００３
【補正方法】変更
【補正の内容】
【０００３】
このような救命具として、例えば特許文献１には、チョッキ型の膨脹式救命具が開示されている。また、特許文献２には、首に引っ掛けて装着する首掛け膨脹式救命具が開示されている。しかしながら、これらの救命具は、いずれも入水した際に、自動、或いは手動で膨張して、浮力を得られるようになっているが、低水温海域で遭難した場合に、体温が低下しないように加温するような手段を有していなかった。そのため、低水温海域で遭難した場合には、これらの救命具を着用していても、救難船や救難機などの救助部隊が到着する前に絶命してしまう危険性があった。
【手続補正３】
【補正対象書類名】明細書
【補正対象項目名】００１７
【補正方法】変更
【補正の内容】
【００１７】
本発明の上記目的は、救命具本体を身体に装着した際に、総頚動脈が通る首の両側の位置および腋窩動脈が通る両脇の位置にそれぞれ当接するように配される熱部材と、該熱部材に電気を供給するための電源と、体温を検出するための体温検出手段と、外部温度を検出するための外部温度検出手段と、前記体温検出手段および前記外部温度検出手段で検出された温度を受けて、前記熱部材の温度を調整するための温度コントローラとを備え、体温を上げる場合には、前記熱部材によって、体温調整能力が大きい循環血流が通る箇所を同時に加熱するとともに、体温を下げる場合には、前記熱部材によって、体温調整能力が大きい循環血流が通る箇所を同時に冷却するようにしたことにより、達成される。
【手続補正４】
【補正対象書類名】明細書
【補正対象項目名】００１８
【補正方法】変更
【補正の内容】
【００１８】
また、上記目的は、前記熱部材は、前記救命具本体を身体に装着した際に、前胸部の心臓付近に当接するように配されることにより、効果的に達成される。
【手続補正５】
【補正対象書類名】明細書
【補正対象項目名】００４３
【補正方法】変更
【補正の内容】
【００４３】
要するに、遭難した際に、本発明に係る体温調整具を備えた救命具を装着することにより、たとえ遭難した現場が低水温海域であったとしても、体温を適正体温で維持することができ、且つ救助者に自分の現在位置を報知することができる。この結果、遭難した際に、本救命具を着用していれば、従来の救命具では助かる可能性が低かった遭難事故であっても、遭難者を救命することができる。
【手続補正６】
【補正対象書類名】明細書
【補正対象項目名】００７４
【補正方法】変更
【補正の内容】
【００７４】
図９は、本発明の実施例４に係る体温調整具を備えた救命具を示すものである。なお、前記実施例１と同一の部材には同一の符号を付して、その説明を省略する。